(57)【要約】【課題】      夜間や暗所にて作業を行う際に、指先の状況を充分に把握することができるようにする。【解決手段】  親指１１の少なくとも一部を覆う親指部１ｄと人差し指１２の少なくとも一部を覆う人差し指部１ｅとを形成した手袋１において、親指部１ｄ及び人差し指部１ｅの両方又は何れか一方の側面に発光部２，３を取り付け、親指部１ｄに第１の発光部２を取り付ける場合には親指部１ｄに隣接する人差し指部１ｅ側に第１の発光部２を取り付け、人差し指部に第２の発光部３を取り付ける場合には人差し指部１ｅに隣接する親指部１ｄ側に第２の発光部３を取り付けるようにしているので、親指１１及び人差し指１２の両方又は何れか一方の指先の腹の部分に光が照射され、作業部分である指先を充分に照明することができ、作業者は作業部分の状況を充分に把握することができる。【選択図】      図２
2006241649.tif 000002
【特許請求の範囲】
【請求項１】
親指の少なくとも一部を覆う親指部及び人差し指の少なくとも一部を覆う人差し指部の両方又は何れか一方を形成した装着具と、
前記親指部及び前記人差し指部の両方又は何れか一方の側面に取り付けられ、前記親指部に取り付けられる場合には前記親指部に隣接する前記人差し指部側の側面に取り付けられ、前記人差し指部に取り付けられる場合には前記人差し指部に隣接する前記親指部側の側面に取り付けられた発光部と、
を備えた照明装置付き装着具。
【請求項２】
前記発光部は、指向性を有し、取り付けられた指部の先端方向に光を照射することを特徴とする請求項１に記載の照明装置付き装着具。
【請求項３】
前記装着具を装着した手の指の第１関節から前記指の先端部分までの間に該当する位置に前記発光部を取り付けたことを特徴とする請求項１又は請求項２に記載の照明装置付き装着具。
【請求項４】
少なくとも親指の付け根部分を含む手の甲を覆う甲部を形成した装着具と、
前記甲部の前記親指の付け根に該当する位置に取り付けられ、前記手袋を装着した手の親指及び人差し指の中間方向に光を照射する、指向性を有する発光部と、
を備えた照明装置付き装着具。
【発明の詳細な説明】
【技術分野】
【０００１】
本発明は、照明装置付き装着具に関し、特に、夜間や暗所にて作業を行う際に手元を照らすための照明装置付き装着具に関するものである。
【背景技術】
【０００２】
従来、人間の手によって作業を行う際に、夜間や暗所では手元が暗くなってしまうので、作業を行う者（以下、作業者と記述する）は、作業を行う部分（以下、作業部分と記述する）の状況を把握することができなかった。そのため、片手に持った懐中電灯などの照明装置により作業部分を照明しながら、もう一方の手で作業を行っていた。また、作業者が被るヘルメットなどに照明装置を取り付け、その照明装置により作業部分を照明しながら作業を行っていた。
【０００３】
しかしながら、片手に懐中電灯などの照明装置を持つと、もう一方の手だけで作業を行わなければならなくなるので、作業を行うことが困難になってしまうという問題があった。また、片手に持った懐中電灯などの照明装置や、作業者が被るヘルメットなどに取り付けた照明装置などによって作業部分を照らすと、作業を行っている手で陰を作ってしまい、作業部分が暗くなってしまうことがあるという問題があった。また、照明装置と作業部分との距離が長くなるので、照明装置の光量を大きくする必要があったり、照明装置をもつ手や照明装置を取り付けたヘルメットを被る頭などが少し動いただけで照明装置から照射される光が大きくずれてしまったりという問題があった。
【０００４】
ところで、手袋の指の部分に豆電球やＬＥＤ（Light Emitting Diode：発光ダイオード）などの発光部材を取り付け、作業部分を照明する技術が知られている（例えば特許文献１〜３など）。
【特許文献１】特開２００４−３１６０５０号公報
【特許文献２】特表平８−５０２６６６号公報
【特許文献３】登録実用新案第３０５７７７８号公報
【０００５】
また、手袋の指の付け根部分の外側に発光ダイオードを取り付け、発光面を外側に向けて外部に目印となる光を照射する技術が知られている（例えば特許文献４など）。
【特許文献４】特開平７−３２３０９７号公報
【０００６】
しかしながら、特許文献１及び特許文献２に記載の技術では、発光部材が指の爪側に取り付けられているため、作業部分が指先から離れた場所（例えば、作業者が持つドライバや外科用器具の先端など）である場合には作業部分を照明することができるが、作業部分が指先である場合（特に指先の内側の腹の部分）には作業部分を充分に照明することができなかった。
【０００７】
また、特許文献３に記載の技術では、発光部材が指の先端に取り付けられているため、作業部分が指先である場合（特に指先の内側の腹の部分）には作業部分を充分に照明することができなかった。
【０００８】
また、特許文献４に記載の技術では、発光ダイオードの発光面が外側に向いているため、作業部分である指先を充分に照明することができなかった。
【０００９】
例えば、夜釣りなどにおいて、釣り針に餌を付けたり釣り糸の絡まりを解いたりする細かい作業は、主に親指の腹の部分と人差し指の腹の部分とで行われる。しかしながら、特許文献１に記載の技術では、このような指先を用いた細かい作業を行う際に作業部分である指先の腹の部分を充分に照明することができないので、作業者は、作業部分の状況を充分に把握することができないという問題があった。
【発明の開示】
【発明が解決しようとする課題】
【００１０】
本発明は、前述した問題を解決するために成されたものであり、夜間や暗所にて作業を行う際に、指先の状況を充分に把握することができるようにすることを目的とする。
【課題を解決するための手段】
【００１１】
前述した課題を解決するために、本発明では、手袋などの装着具の親指部及び人差し指部の両方又は何れか一方の側面に発光部を取り付けるようにしている。このとき、親指部に発光部を取り付ける場合には親指部に隣接する人差し指部側の側面に取り付け、人差し指部に発光部を取り付ける場合には人差し指部に隣接する親指部側の側面に取り付けるようにしている。
【００１２】
また、本発明の他の態様では、手袋などの装着具を装着した手の指の第１関節（遠位指節間関節）から指の先端部分に該当する位置に発光部を取り付けるようにしている。
【００１３】
また、本発明の更に他の態様では、手の甲の親指の付け根に該当する位置に指向性を有する発光部を取り付け、発光部は、親指及び人差し指の中間方向に光を照射するようにしている。
【発明の効果】
【００１４】
上記のように構成した本発明の照明装置付き装着具では、親指及び人差し指の両方又は何れか一方の指先の腹の部分に光が照射されるので、作業部分である指先が充分に照明され、作業部分の状況を作業者に充分に把握させることができる。
【００１５】
また、本発明の他の態様によれば、指の第１関節から先の部分の動きに追従して光が照射されるので、作業部分である指先がより正確に照明され、作業部分の状況を作業者に充分に把握させることができる。
【００１６】
また、本発明の更に他の態様によれば、親指と人差し指との間に光が照射されるので、作業部分である指先の腹の部分が充分に照明され、作業部分の状況を作業者に充分に把握させることができる。
【発明を実施するための最良の形態】
【００１７】
以下、本発明による実施形態を図面に基づいて説明する。図１は、本実施形態による照明装置付き装着具の構成例を示す図である。ここで、本実施形態では、照明装置付き装着具として手袋１を例示して説明する。図１において、手袋１は、掌部１ａ、甲部１ｂ、開口部１ｃ、親指部１ｄ、人差し指部１ｅ、その他の指部１ｆ、電源収納部１ｇを備えて構成されている。
【００１８】
掌部１ａは、作業者の手の掌部分を覆う。また、甲部１ｂは、作業者の手の甲部分を覆う。また、開口部１ｃは、作業者が手を挿入する部分であり、掌部１ａと甲部１ｂとの間の掌部１ａと甲部１ｂとが一体化していない部分である。
【００１９】
また、親指部１ｄは、作業者の親指１１の第１関節１１ａよりも先端部分に近い方までを覆っている。また、人差し指部１ｅは、作業者の人差し指１２の第１関節１２ａよりも先端部分に近い方までを覆っている。また、その他の指部１ｆは、その他の指１３の第１関節よりも先端部分に近い方までを夫々覆っている。ここで、掌部１ａ、甲部１ｂ、親指部１ｄ、人差し指部１ｅ、その他の指部１ｆは一体的に形成されている。
【００２０】
また、電源収納部１ｇは、甲部１ｂ上に形成された袋状の収納部であり、後述する電源装置４を内部に収納する。ここで、電源収納部１ｇは、電源装置４を着脱するときに一部を開口可能である。
【００２１】
２は第１の発光部であり、指向性を有するＬＥＤや指向性の無い豆電球などの発光素子により構成されている。また、第１の発光部２は、親指部１ｄの側面（親指部１ｄに覆われた親指１１の側面に該当する位置）、且つ、親指部１ｄに隣接する人差し指部１ｅ側の側面に取り付けられる。また、第１の発光部２は、親指１１の第１関節１１ａから親指１１の先端部分までの間に該当する位置に取り付けられる。ここで、第１の発光部２が指向性を有するＬＥＤによって構成されている場合には、第１の発光部２は、親指１１の先端方向に光を照射するように手袋１に取り付けられる。
【００２２】
３は第２の発光部であり、第１の発光部２と同様に、ＬＥＤや豆電球などの発光素子により構成されている。また、第２の発光部３は、人差し指部１ｅの側面（人差し指部１ｅに覆われた人差し指１２の側面に該当する位置）、且つ、人差し指部１ｅに隣接する親指部１ｄ側の側面に取り付けられる。また、第２の発光部３は、人差し指１２の第１関節１２ａから人差し指１２の先端部分までの間に該当する位置に取り付けられる。ここで、第２の発光部３が指向性を有するＬＥＤによって構成されている場合には、第２の発光部３は、人差し指１２の先端方向に光を照射するように手袋１に取り付けられる。
【００２３】
電源装置４は、第１の発光部２及び第２の発光部３を発光させるための電源となる電池などにより構成されている。また、電源装置４は、手袋１の電源収納部１ｇの内部に収納されている。なお、本実施形態では、電源収納部１ｇの内部に電源装置４を取り付けているが、これに限定されない。例えば、手袋１の甲部１ｂの表面や裏面に電源装置４を直接取り付けても良く、作業の邪魔にならない位置であれば、どのような位置に電源装置４を取り付けても良い。
【００２４】
図２は、電源装置４の構成例を示す図である。図２において、電源となるボタン電池４ａの各電極には導電性の接続端子４ｂがそれぞれ接続されている。ここで、接続端子４ｂは、バネ材料などにより形成されており、端部がボタン電池４ａの各電極に押し付けられている。また、各接続端子４ｂは、絶縁物４ｃ（例えば、絶縁板や絶縁紙など）を介してネジ４ｅ及びナット４ｆなどにより固定される。そして、電源スイッチ６を介して第１の発光部２及び第２の発光部３に接続される。
【００２５】
５は電源供給線であり、電源装置４から第１の発光部２及び第２の発光部３に電源を供給する。
【００２６】
電源スイッチ６は、電源収納部１ｇに設けられた開口部を介して電源装置４に接続されており、甲部１ｂ上に取り付けられている。また、電源スイッチ６は、これを操作することで、電源装置４から電源供給線５を介して第１の発光部２及び第２の発光部３に電源を供給する。そして、第１の発光部２及び第２の発光部３は、電源が供給されると、発光して光を照射する。ここで、電源スイッチ６は、押しボタン式のスイッチなどにより構成される。なお、本実施形態では、電源スイッチ６は、電源収納部１ｇ上に取り付けられているが、これに限定されない。例えば、電源収納部１ｇ内に収納されていても良いし、操作し易い位置であれば、どのような位置に電源スイッチ６を取り付けても良い。
【００２７】
次に、本実施形態による手袋１の使用方法を説明する。図３は、本実施形態による手袋１の使用状態の例を示す図である。図３において、作業者は、親指１１及び人差し指１２の先端の腹の部分によって作業対象物７を掴んで作業を行う。ここで、電源スイッチ６を作業者が操作すると、電源収納部１ｇ内の電源装置４から第１の発光部２及び第２の発光部３に対して電源供給線５を介して電源が供給される。
【００２８】
第１の発光部２及び第２の発光部３は、電源が供給されると発光する。ここで、第１の発光部２による照明範囲Ａは、親指１１の先端の腹の部分近傍であり、第２の発光部３による照明範囲Ｂは、人差し指１２の先端の腹の部分近傍である。このように、親指１１の先端の腹の部分近傍及び人差し指１２の先端の腹の部分近傍が照明されると、作業対象物７も照明される。
【００２９】
このような状態で、作業者は親指１１や人差し指１２を動かして作業対象物７に対して作業を行う。第１の発光部２の照明範囲Ａは親指１１の先端の動きに追従するので、第１の発光部２は、作業対象物７を正確に照明する。また、第２の発光部３の照明範囲Ｂは人差し指１２の先端の動きに追従するので、第２の発光部３は、作業対象物７を正確に照明する。
【００３０】
以上、詳しく説明したように、本実施形態による手袋１は、親指部１ｄの二つの側面のうち、親指部１ｄに隣接する人差し指部１ｅ側の側面に第１の発光部２を取り付けるようにしている。また、人差し指部１ｅの二つの側面のうち、人差し指部１ｅに隣接する親指部１ｄ側の側面に第２の発光部３を取り付けるようにしている。これにより、親指１１及び人差し指１２の先端の腹の部分に光が照射されるので、作業部分である指先の腹の部分を充分に照明することができる。従って、作業者は作業部分の状況を充分に把握することができる。
【００３１】
また、本実施形態では、親指１１と人差し指１２とは、他の指同士と比較すると近接していないので、親指部１ｄに取り付けた第１の発光部２が人差し指１２に接触したり、人差し指部１ｅに取り付けた第２の発光部３が親指１１に接触したりする可能性が低くなり、第１の発光部２及び第２の発光部３の故障や破損を防止することができる。
【００３２】
また、本実施形態では、第１の発光部２及び第２の発光部３は、親指部１ｄ及び人差し指部１ｅの側面に取り付けられているので、作業者が親指１１及び人差し指１２の先端の腹の部分で作業対象物７を掴んでも、第１の発光部２や第２の発光部３が作業対象物７に接触する可能性が低くなり、第１の発光部２及び第２の発光部３の故障や破損、作業対象物７に傷が付くことを防止することができる。
【００３３】
また、本実施形態では、親指１１の第１関節１１ａから親指１１の先端部分までの間に該当する位置に第１の発光部２を取り付け、人差し指１２の第１関節１２ａから人差し指１２の先端部分までの間に該当する位置に第２の発光部３を取り付けている。これにより、第１の発光部２の照明範囲Ａ及び第２の発光部３の照明範囲Ｂが親指１１及び人差し指１２の先端の動きに追従するので、作業部分を正確に照明することができる。従って、作業者は、作業部分の状況をより正確に把握することができる。
【００３４】
なお、前述した実施形態では、親指部１ｄ及び人差し指部１ｅの両方に発光部２，３を取り付けているが、これに限定されない。例えば、親指部１ｄ及び人差し指部１ｅの何れか一方に発光部を取り付けるようにしても良い。
【００３５】
また、前述した実施形態では、第１の発光部２は、親指１１の第１関節１１ａよりも先端側に該当する位置に取り付けられており、第２の発光部３は、人差し指１２の第１関節１２ａよりも先端側に該当する位置に取り付けられているが、これに限定されない。例えば、親指１１や人差し指１２の付け根に近い部分に該当する位置に発光部を取り付けても良い。ただし、追従性を考慮した場合、第１関節１１ａ，１２ａよりも先端側が好ましい。
【００３６】
また、前述した実施形態では、手袋１は、作業者の親指１１の第１関節１１ａよりも先端側に該当する位置までを親指部１１ａにより覆っており、作業者の人差し指１２の第１関節１２ａよりも先端側に該当する位置までを人差し指部１ｅにより覆っているが、これに限定されない。例えば、親指１１や人差し指１２を全て覆うようにしても良い。また、第１の発光部２や第２の発光部３が親指１１や人差し指１２の付け根に近い部分に該当する位置に取り付けられる場合には、親指１１や人差し指１２を覆う部分を少なくしても良い。また、その他の指１３についても同様である。
【００３７】
また、前述した実施形態では、親指部１ｄの側面に第１の発光部２を取り付け、人差し指部１ｅの側面に第２の発光部３を取り付けるようにしているが、これに限定されない。例えば、図４に示すように、手の甲部１ｂの親指１１の付け根に該当する位置に発光部８を取り付けるようにして手袋２１を構成しても良い。ここで、発光部８は、指向性を有するＬＥＤなどの発光素子により構成されている。また、発光部８による照明の方向は、親指部１ｄ及び人差し指部１ｅの中間方向、換言すると、親指１１及び人差し指１２の中間方向とする。ここで、発光部８による照明の方向は、親指１１及び人差し指１２の先端方向の略中央方向であることが好ましい。
【００３８】
また、図５は、図４に示した手袋２１の使用状態を示す図である。図５において、作業者は、親指１１及び人差し指１２の先端の腹の部分によって作業対象物７を掴んで作業を行う。ここで、電源スイッチ６を作業者が操作すると、電源収納部１ｇ内の電源装置４から発光部７に対して電源供給線５を介して電源が供給される。
【００３９】
発光部８は、電源が供給されると発光する。ここで、発光部８による照明範囲Ｃは、親指１１及び人差し指１２の先端の腹の部分を照明する。このように、親指１１及び人差し指１２の先端の腹の部分が照明されると、作業対象物７も照明される。
【００４０】
このような状態で、作業者は親指１１や人差し指１２を動かして作業対象物７に対して作業を行う。ここで、作業対象物７は、親指１１や人差し指１２が動いても発光部８の照明範囲Ｃから大きく外れることがない。従って、発光部８の照明範囲Ｃは、親指１１や人差し指１２の先端の動きに関係なく、作業対象物７を正確に照明することができる。
【００４１】
なお、図４及び図５に示す手袋２１には指部１ｄ，１ｅ，１ｆが設けられているが、これに限定されない。例えば、各指の付け根部分までを覆うような手袋であっても良い。
【００４２】
また、本実施形態では、電源装置４は手袋１，２１に取り付けられているが、これに限定されない。例えば、作業者の服の腕の部分などに別途電源装置を取り付け、電源供給線によって発光部へ電源を供給するようにしても良い。
【００４３】
また、本実施形態では、照明装置付き装着具として手袋１，２１を用いているが、これに限定されない。例えば、図６に示すように、少なくとも親指１１の一部を覆う親指用指サック３０及び少なくとも人差し指１２の一部を覆う人差し指用指サック３１の両方又は何れか一方を照明装置付き装着具としても良い。ここで、第１の発光部２は、親指用指サック３０の側面（親指用指サック３０に覆われた親指１１の側面に該当する位置）、且つ、親指１１に隣接する人差し指１２側の側面に取り付けられる。また、第２の発光部３は、人差し指用指サック３１の側面（人差し指用指サック３１に覆われた人差し指１２の側面に該当する位置）、且つ、人差し指１２に隣接する親指１１側の側面に取り付けられる。また、電源装置４を収納した電源収納部３２は、ベルト３３などによって腕１０に装着されている。
【００４４】
その他、前記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４５】
本発明は、夜間や暗所にて作業を行う際に手元を照らすための照明装置付き装着具に有用である。例えば、夜釣り用の手袋などに有用である。
【図面の簡単な説明】
【００４６】
【図１】本実施形態による照明装置付き装着具の構成例を示す図である。
【図２】本実施形態による照明装置付き装着具の電源装置の構成例を示す図である。
【図３】本実施形態による照明装置付き装着具の使用状態を示す図である。
【図４】本実施形態による照明装置付き装着具の変形例を示す図である。
【図５】本実施形態による照明装置付き装着具の変形例の使用状態を示す図である。
【図６】本実施形態による照明装置付き装着具の他の変形例を示す図である。
【符号の説明】
【００４７】
１    手袋
１ａ    掌部
１ｂ    甲部
１ｃ    開口部
１ｄ    親指部
１ｅ    人差し指部
１ｆ    その他の指部
１ｇ    電源収納部
２    第１の発光部
３    第２の発光部
４    電源装置
５    電源供給線
６    電源スイッチ
７    作業対象物
８    発光部
【図１】
2006241649.tif 000003
【図２】
2006241649.tif 000004
【図３】
2006241649.tif 000005
【図４】
2006241649.tif 000006
【図５】
2006241649.tif 000007
【図６】
2006241649.tif 000008
【手続補正書】
【提出日】平成17年6月23日(2005.6.23)
【手続補正１】
【補正対象書類名】特許請求の範囲
【補正対象項目名】全文
【補正方法】変更
【補正の内容】
【特許請求の範囲】
【請求項１】
親指の少なくとも一部を覆う親指部及び人差し指の少なくとも一部を覆う人差し指部の両方又は何れか一方を形成した手袋と、
前記親指部及び前記人差し指部の両方又は何れか一方の側面に取り付けられ、前記親指部に取り付けられる場合には前記親指部に隣接する前記人差し指部側の側面に取り付けられ、前記人差し指部に取り付けられる場合には前記人差し指部に隣接する前記親指部側の側面に取り付けられた発光部と、
を備えた照明装置付き手袋。
【請求項２】
前記発光部は、指向性を有し、取り付けられた指部の先端方向に光を照射することを特徴とする請求項１に記載の照明装置付き手袋。
【請求項３】
前記手袋を装着した手の指の第１関節から前記指の先端部分までの間に該当する位置に前記発光部を取り付けたことを特徴とする請求項１又は請求項２に記載の照明装置付き手袋。
【請求項４】
少なくとも親指の付け根部分を含む手の甲を覆う甲部を形成した手袋と、
前記甲部の前記親指の付け根に該当する位置に取り付けられ、前記手袋を装着した手の親指及び人差し指の中間方向に光を照射する、指向性を有する発光部と、
を備えた照明装置付き手袋。
【手続補正２】
【補正対象書類名】明細書
【補正対象項目名】全文
【補正方法】変更
【補正の内容】
【発明の詳細な説明】
【技術分野】
【０００１】
本発明は、照明装置付き手袋に関し、特に、夜間や暗所にて作業を行う際に手元を照らすための照明装置付き手袋に関するものである。
【背景技術】
【０００２】
従来、人間の手によって作業を行う際に、夜間や暗所では手元が暗くなってしまうので、作業を行う者（以下、作業者と記述する）は、作業を行う部分（以下、作業部分と記述する）の状況を把握することができなかった。そのため、片手に持った懐中電灯などの照明装置により作業部分を照明しながら、もう一方の手で作業を行っていた。また、作業者が被るヘルメットなどに照明装置を取り付け、その照明装置により作業部分を照明しながら作業を行っていた。
【０００３】
しかしながら、片手に懐中電灯などの照明装置を持つと、もう一方の手だけで作業を行わなければならなくなるので、作業を行うことが困難になってしまうという問題があった。また、片手に持った懐中電灯などの照明装置や、作業者が被るヘルメットなどに取り付けた照明装置などによって作業部分を照らすと、作業を行っている手で陰を作ってしまい、作業部分が暗くなってしまうことがあるという問題があった。また、照明装置と作業部分との距離が長くなるので、照明装置の光量を大きくする必要があったり、照明装置をもつ手や照明装置を取り付けたヘルメットを被る頭などが少し動いただけで照明装置から照射される光が大きくずれてしまったりという問題があった。
【０００４】
ところで、手袋の指の部分に豆電球やＬＥＤ（Light Emitting Diode：発光ダイオード）などの発光部材を取り付け、作業部分を照明する技術が知られている（例えば特許文献１〜３など）。
【特許文献１】特開２００４−３１６０５０号公報
【特許文献２】特表平８−５０２６６６号公報
【特許文献３】登録実用新案第３０５７７７８号公報
【０００５】
また、手袋の指の付け根部分の外側に発光ダイオードを取り付け、発光面を外側に向けて外部に目印となる光を照射する技術が知られている（例えば特許文献４など）。
【特許文献４】特開平７−３２３０９７号公報
【０００６】
しかしながら、特許文献１及び特許文献２に記載の技術では、発光部材が指の爪側に取り付けられているため、作業部分が指先から離れた場所（例えば、作業者が持つドライバや外科用器具の先端など）である場合には作業部分を照明することができるが、作業部分が指先である場合（特に指先の内側の腹の部分）には作業部分を充分に照明することができなかった。
【０００７】
また、特許文献３に記載の技術では、発光部材が指の先端に取り付けられているため、作業部分が指先である場合（特に指先の内側の腹の部分）には作業部分を充分に照明することができなかった。
【０００８】
また、特許文献４に記載の技術では、発光ダイオードの発光面が外側に向いているため、作業部分である指先を充分に照明することができなかった。
【０００９】
例えば、夜釣りなどにおいて、釣り針に餌を付けたり釣り糸の絡まりを解いたりする細かい作業は、主に親指の腹の部分と人差し指の腹の部分とで行われる。しかしながら、特許文献１に記載の技術では、このような指先を用いた細かい作業を行う際に作業部分である指先の腹の部分を充分に照明することができないので、作業者は、作業部分の状況を充分に把握することができないという問題があった。
【発明の開示】
【発明が解決しようとする課題】
【００１０】
本発明は、前述した問題を解決するために成されたものであり、夜間や暗所にて作業を行う際に、指先の状況を充分に把握することができるようにすることを目的とする。
【課題を解決するための手段】
【００１１】
前述した課題を解決するために、本発明では、手袋の親指部及び人差し指部の両方又は何れか一方の側面に発光部を取り付けるようにしている。このとき、親指部に発光部を取り付ける場合には親指部に隣接する人差し指部側の側面に取り付け、人差し指部に発光部を取り付ける場合には人差し指部に隣接する親指部側の側面に取り付けるようにしている。
【００１２】
また、本発明の他の態様では、手袋を装着した手の指の第１関節（遠位指節間関節）から指の先端部分に該当する位置に発光部を取り付けるようにしている。
【００１３】
また、本発明の更に他の態様では、手袋の手の甲の親指の付け根に該当する位置に指向性を有する発光部を取り付け、発光部は、親指及び人差し指の中間方向に光を照射するようにしている。
【発明の効果】
【００１４】
上記のように構成した本発明の照明装置付き手袋では、親指及び人差し指の両方又は何れか一方の指先の腹の部分に光が照射されるので、作業部分である指先が充分に照明され、作業部分の状況を作業者に充分に把握させることができる。
【００１５】
また、本発明の他の態様によれば、指の第１関節から先の部分の動きに追従して光が照射されるので、作業部分である指先がより正確に照明され、作業部分の状況を作業者に充分に把握させることができる。
【００１６】
また、本発明の更に他の態様によれば、親指と人差し指との間に光が照射されるので、作業部分である指先の腹の部分が充分に照明され、作業部分の状況を作業者に充分に把握させることができる。
【発明を実施するための最良の形態】
【００１７】
以下、本発明による実施形態を図面に基づいて説明する。図１は、本実施形態による照明装置付き手袋１の構成例を示す図である。図１において、手袋１は、掌部１ａ、甲部１ｂ、開口部１ｃ、親指部１ｄ、人差し指部１ｅ、その他の指部１ｆ、電源収納部１ｇを備えて構成されている。
【００１８】
掌部１ａは、作業者の手の掌部分を覆う。また、甲部１ｂは、作業者の手の甲部分を覆う。また、開口部１ｃは、作業者が手を挿入する部分であり、掌部１ａと甲部１ｂとの間の掌部１ａと甲部１ｂとが一体化していない部分である。
【００１９】
また、親指部１ｄは、作業者の親指１１の第１関節１１ａよりも先端部分に近い方までを覆っている。また、人差し指部１ｅは、作業者の人差し指１２の第１関節１２ａよりも先端部分に近い方までを覆っている。また、その他の指部１ｆは、その他の指１３の第１関節よりも先端部分に近い方までを夫々覆っている。ここで、掌部１ａ、甲部１ｂ、親指部１ｄ、人差し指部１ｅ、その他の指部１ｆは一体的に形成されている。
【００２０】
また、電源収納部１ｇは、甲部１ｂ上に形成された袋状の収納部であり、後述する電源装置４を内部に収納する。ここで、電源収納部１ｇは、電源装置４を着脱するときに一部を開口可能である。
【００２１】
２は第１の発光部であり、指向性を有するＬＥＤや指向性の無い豆電球などの発光素子により構成されている。また、第１の発光部２は、親指部１ｄの側面（親指部１ｄに覆われた親指１１の側面に該当する位置）、且つ、親指部１ｄに隣接する人差し指部１ｅ側の側面に取り付けられる。また、第１の発光部２は、親指１１の第１関節１１ａから親指１１の先端部分までの間に該当する位置に取り付けられる。ここで、第１の発光部２が指向性を有するＬＥＤによって構成されている場合には、第１の発光部２は、親指１１の先端方向に光を照射するように手袋１に取り付けられる。
【００２２】
３は第２の発光部であり、第１の発光部２と同様に、ＬＥＤや豆電球などの発光素子により構成されている。また、第２の発光部３は、人差し指部１ｅの側面（人差し指部１ｅに覆われた人差し指１２の側面に該当する位置）、且つ、人差し指部１ｅに隣接する親指部１ｄ側の側面に取り付けられる。また、第２の発光部３は、人差し指１２の第１関節１２ａから人差し指１２の先端部分までの間に該当する位置に取り付けられる。ここで、第２の発光部３が指向性を有するＬＥＤによって構成されている場合には、第２の発光部３は、人差し指１２の先端方向に光を照射するように手袋１に取り付けられる。
【００２３】
電源装置４は、第１の発光部２及び第２の発光部３を発光させるための電源となる電池などにより構成されている。また、電源装置４は、手袋１の電源収納部１ｇの内部に収納されている。なお、本実施形態では、電源収納部１ｇの内部に電源装置４を取り付けているが、これに限定されない。例えば、手袋１の甲部１ｂの表面や裏面に電源装置４を直接取り付けても良く、作業の邪魔にならない位置であれば、どのような位置に電源装置４を取り付けても良い。
【００２４】
図２は、電源装置４の構成例を示す図である。図２において、電源となるボタン電池４ａの各電極には導電性の接続端子４ｂがそれぞれ接続されている。ここで、接続端子４ｂは、バネ材料などにより形成されており、端部がボタン電池４ａの各電極に押し付けられている。また、各接続端子４ｂは、絶縁物４ｃ（例えば、絶縁板や絶縁紙など）を介してネジ４ｅ及びナット４ｆなどにより固定される。そして、電源スイッチ６を介して第１の発光部２及び第２の発光部３に接続される。
【００２５】
５は電源供給線であり、電源装置４から第１の発光部２及び第２の発光部３に電源を供給する。
【００２６】
電源スイッチ６は、電源収納部１ｇに設けられた開口部を介して電源装置４に接続されており、甲部１ｂ上に取り付けられている。また、電源スイッチ６は、これを操作することで、電源装置４から電源供給線５を介して第１の発光部２及び第２の発光部３に電源を供給する。そして、第１の発光部２及び第２の発光部３は、電源が供給されると、発光して光を照射する。ここで、電源スイッチ６は、押しボタン式のスイッチなどにより構成される。なお、本実施形態では、電源スイッチ６は、電源収納部１ｇ上に取り付けられているが、これに限定されない。例えば、電源収納部１ｇ内に収納されていても良いし、操作し易い位置であれば、どのような位置に電源スイッチ６を取り付けても良い。
【００２７】
次に、本実施形態による照明装置付き手袋１の使用方法を説明する。図３は、本実施形態による照明装置付き手袋１の使用状態の例を示す図である。図３において、作業者は、親指１１及び人差し指１２の先端の腹の部分によって作業対象物７を掴んで作業を行う。ここで、電源スイッチ６を作業者が操作すると、電源収納部１ｇ内の電源装置４から第１の発光部２及び第２の発光部３に対して電源供給線５を介して電源が供給される。
【００２８】
第１の発光部２及び第２の発光部３は、電源が供給されると発光する。ここで、第１の発光部２による照明範囲Ａは、親指１１の先端の腹の部分近傍であり、第２の発光部３による照明範囲Ｂは、人差し指１２の先端の腹の部分近傍である。このように、親指１１の先端の腹の部分近傍及び人差し指１２の先端の腹の部分近傍が照明されると、作業対象物７も照明される。
【００２９】
このような状態で、作業者は親指１１や人差し指１２を動かして作業対象物７に対して作業を行う。第１の発光部２の照明範囲Ａは親指１１の先端の動きに追従するので、第１の発光部２は、作業対象物７を正確に照明する。また、第２の発光部３の照明範囲Ｂは人差し指１２の先端の動きに追従するので、第２の発光部３は、作業対象物７を正確に照明する。
【００３０】
以上、詳しく説明したように、本実施形態による照明装置付き手袋１は、親指部１ｄの二つの側面のうち、親指部１ｄに隣接する人差し指部１ｅ側の側面に第１の発光部２を取り付けるようにしている。また、人差し指部１ｅの二つの側面のうち、人差し指部１ｅに隣接する親指部１ｄ側の側面に第２の発光部３を取り付けるようにしている。これにより、親指１１及び人差し指１２の先端の腹の部分に光が照射されるので、作業部分である指先の腹の部分を充分に照明することができる。従って、作業者は作業部分の状況を充分に把握することができる。
【００３１】
また、本実施形態では、親指１１と人差し指１２とは、他の指同士と比較すると近接していないので、親指部１ｄに取り付けた第１の発光部２が人差し指１２に接触したり、人差し指部１ｅに取り付けた第２の発光部３が親指１１に接触したりする可能性が低くなり、第１の発光部２及び第２の発光部３の故障や破損を防止することができる。
【００３２】
また、本実施形態では、第１の発光部２及び第２の発光部３は、親指部１ｄ及び人差し指部１ｅの側面に取り付けられているので、作業者が親指１１及び人差し指１２の先端の腹の部分で作業対象物７を掴んでも、第１の発光部２や第２の発光部３が作業対象物７に接触する可能性が低くなり、第１の発光部２及び第２の発光部３の故障や破損、作業対象物７に傷が付くことを防止することができる。
【００３３】
また、本実施形態では、親指１１の第１関節１１ａから親指１１の先端部分までの間に該当する位置に第１の発光部２を取り付け、人差し指１２の第１関節１２ａから人差し指１２の先端部分までの間に該当する位置に第２の発光部３を取り付けている。これにより、第１の発光部２の照明範囲Ａ及び第２の発光部３の照明範囲Ｂが親指１１及び人差し指１２の先端の動きに追従するので、作業部分を正確に照明することができる。従って、作業者は、作業部分の状況をより正確に把握することができる。
【００３４】
なお、前述した実施形態では、親指部１ｄ及び人差し指部１ｅの両方に発光部２，３を取り付けているが、これに限定されない。例えば、親指部１ｄ及び人差し指部１ｅの何れか一方に発光部を取り付けるようにしても良い。
【００３５】
また、前述した実施形態では、第１の発光部２は、親指１１の第１関節１１ａよりも先端側に該当する位置に取り付けられており、第２の発光部３は、人差し指１２の第１関節１２ａよりも先端側に該当する位置に取り付けられているが、これに限定されない。例えば、親指１１や人差し指１２の付け根に近い部分に該当する位置に発光部を取り付けても良い。ただし、追従性を考慮した場合、第１関節１１ａ，１２ａよりも先端側が好ましい。
【００３６】
また、前述した実施形態では、手袋１は、作業者の親指１１の第１関節１１ａよりも先端側に該当する位置までを親指部１１ａにより覆っており、作業者の人差し指１２の第１関節１２ａよりも先端側に該当する位置までを人差し指部１ｅにより覆っているが、これに限定されない。例えば、親指１１や人差し指１２を全て覆うようにしても良い。また、第１の発光部２や第２の発光部３が親指１１や人差し指１２の付け根に近い部分に該当する位置に取り付けられる場合には、親指１１や人差し指１２を覆う部分を少なくしても良い。また、その他の指１３についても同様である。
【００３７】
また、前述した実施形態では、親指部１ｄの側面に第１の発光部２を取り付け、人差し指部１ｅの側面に第２の発光部３を取り付けるようにしているが、これに限定されない。例えば、図４に示すように、手の甲部１ｂの親指１１の付け根に該当する位置に発光部８を取り付けるようにして手袋２１を構成しても良い。ここで、発光部８は、指向性を有するＬＥＤなどの発光素子により構成されている。また、発光部８による照明の方向は、親指部１ｄ及び人差し指部１ｅの中間方向、換言すると、親指１１及び人差し指１２の中間方向とする。ここで、発光部８による照明の方向は、親指１１及び人差し指１２の先端方向の略中央方向であることが好ましい。
【００３８】
また、図５は、図４に示した手袋２１の使用状態を示す図である。図５において、作業者は、親指１１及び人差し指１２の先端の腹の部分によって作業対象物７を掴んで作業を行う。ここで、電源スイッチ６を作業者が操作すると、電源収納部１ｇ内の電源装置４から発光部７に対して電源供給線５を介して電源が供給される。
【００３９】
発光部８は、電源が供給されると発光する。ここで、発光部８による照明範囲Ｃは、親指１１及び人差し指１２の先端の腹の部分を照明する。このように、親指１１及び人差し指１２の先端の腹の部分が照明されると、作業対象物７も照明される。
【００４０】
このような状態で、作業者は親指１１や人差し指１２を動かして作業対象物７に対して作業を行う。ここで、作業対象物７は、親指１１や人差し指１２が動いても発光部８の照明範囲Ｃから大きく外れることがない。従って、発光部８の照明範囲Ｃは、親指１１や人差し指１２の先端の動きに関係なく、作業対象物７を正確に照明することができる。
【００４１】
なお、図４及び図５に示す手袋２１には指部１ｄ，１ｅ，１ｆが設けられているが、これに限定されない。例えば、各指の付け根部分までを覆うような手袋であっても良い。
【００４２】
また、本実施形態では、電源装置４は手袋１，２１に取り付けられているが、これに限定されない。例えば、作業者の服の腕の部分などに別途電源装置を取り付け、電源供給線によって発光部へ電源を供給するようにしても良い。
【００４３】
その他、前記実施形態は、本発明を実施するにあたっての具体化の一例を示したものに過ぎず、これによって本発明の技術的範囲が限定的に解釈されてはならないものである。すなわち、本発明はその精神、またはその主要な特徴から逸脱することなく、様々な形で実施することができる。
【産業上の利用可能性】
【００４４】
本発明は、夜間や暗所にて作業を行う際に手元を照らすための照明装置付き手袋に有用である。例えば、夜釣り用の手袋などに有用である。
【図面の簡単な説明】
【００４５】
【図１】本実施形態による照明装置付き手袋の構成例を示す図である。
【図２】本実施形態による照明装置付き手袋の電源装置の構成例を示す図である。
【図３】本実施形態による照明装置付き手袋の使用状態を示す図である。
【図４】本実施形態による照明装置付き手袋の変形例を示す図である。
【図５】本実施形態による照明装置付き手袋の変形例の使用状態を示す図である。
【符号の説明】
【００４６】
１    手袋
１ａ    掌部
１ｂ    甲部
１ｃ    開口部
１ｄ    親指部
１ｅ    人差し指部
１ｆ    その他の指部
１ｇ    電源収納部
２    第１の発光部
３    第２の発光部
４    電源装置
５    電源供給線
６    電源スイッチ
７    作業対象物
８    発光部
【手続補正３】
【補正対象書類名】図面
【補正対象項目名】全図
【補正方法】変更
【補正の内容】
【図１】
2006241649.tif 000009
【図２】
2006241649.tif 000010
【図３】
2006241649.tif 000011
【図４】
2006241649.tif 000012
【図５】
2006241649.tif 000013